(57)【特許請求の範囲】
【請求項１】
指示装置に無線通信により接続する接続手段と、
前記接続手段によって接続された指示装置から特定のパラメータの指示値を受信する受信手段と、
前記パラメータの設定値を記憶する記憶手段と、
前記受信手段によって受信された指示値と、前記記憶手段に記憶された設定値とを比較し、比較結果に応じて前記指示値と前記設定値との対応関係を決定する決定手段と、
前記決定手段によって対応関係が決定された後に、前記受信手段によって指示値を受信すると、前記決定手段によって決定された対応関係に基づいて当該指示値に対応する設定値を特定し、前記記憶手段に記憶された設定値を前記特定した設定値に変更する変更手段と、
入力されるオーディオデータに対して、前記記憶手段に記憶された設定値に応じて音響処理を施す音響処理手段と
を具備することを特徴とする音響処理装置。
【発明の詳細な説明】
【技術分野】
【０００１】
本発明は、複数の音響機器の設定値を無線通信により制御する技術に関する。
【背景技術】
【０００２】
複数のスピーカを有する多チャンネルオーディオ再生装置などの音響機器は、各スピーカから放音される各チャンネルのボリューム値をそれぞれ設定可能になっている（例えば、特許文献１）。このような音響機器は、その装置内の構成において各チャンネルに対してボリューム値の設定が行われ、この設定は、リモコン装置を用いても可能である。
【先行技術文献】
【特許文献】
【０００３】
【特許文献１】特開２００３−１５８８００号公報
【発明の概要】
【発明が解決しようとする課題】
【０００４】
ところで、リモコン装置により遠隔操作可能な音響機器が複数ある場合、この複数の音響機器は、リモコン装置の操作により全て同じ遠隔操作がなされ、ボリューム値を設定すると、複数の音響機器全てがリモコン装置によって指示された同じボリューム値として設定されてしまう。そのため、同じボリューム値でも出力特性が異なるような音響機器が複数存在する場合には、違和感のある音量バランスとなってしまう。また、もともと放音していた音響機器がリモコン装置の制御下に入ることにより、突然音量が変化してしまい、聴取者に違和感を与えることがあった。
【０００５】
本発明は、上述の事情に鑑みてなされたものであり、音響処理装置に設定された音響処理を施すためのパラメータを、指示装置によって遠隔操作で制御するときに、その制御対象となる音響処理装置が増加したとしても、増加した音響処理装置に設定されているパラメータが指示装置の指示値により突然変動しないようにしつつ、制御対象の音響処理装置全体のパラメータを制御することを目的とする。
【課題を解決するための手段】
【０００６】
上述の課題を解決するため、本発明は、指示装置に無線通信により接続する接続手段と、前記接続手段によって接続された指示装置から特定のパラメータの指示値を受信する受信手段と、前記パラメータの設定値を記憶する記憶手段と、記受信手段によって受信された指示値と、前記記憶手段に記憶された設定値とを比較し、比較結果に応じて前記指示値と前記設定値との対応関係を決定する決定手段と、前記決定手段によって対応関係が決定された後に、前記受信手段によって指示値を受信すると、前記決定手段によって決定された対応関係に基づいて当該指示値に対応する設定値を特定し、前記記憶手段に記憶された設定値を前記特定した設定値に変更する変更手段と、入力されるオーディオデータに対して、前記記憶手段に記憶された設定値に応じて音響処理を施す音響処理手段とを具備することを特徴とする音響処理装置を提供する。
【発明の効果】
【０００８】
本発明によれば、音響処理装置に設定された音響処理を施すためのパラメータを、指示
装置によって遠隔操作で制御するときに、その制御対象となる音響処理装置が増加したと
しても、増加した音響処理装置に設定されているパラメータが指示装置の指示値により突
然変動しないようにしつつ、制御対象の音響処理装置全体のパラメータを制御することが
できる。
【図面の簡単な説明】
【０００９】
【図１】実施形態に係るオーディオシステムの動作の概要を説明する図である。
【図２】実施形態に係るスピーカ装置の構成を説明するブロック図である。
【図３】実施形態に係るオーディオ装置の構成を説明するブロック図である。
【図４】実施形態に係るテーブル決定処理を説明するフローチャートである。
【図５】テーブル決定処理により決定されるテーブルの種類別の対応関係についての一例を説明する図である。
【図６】実施形態に係るオーディオシステムの動作の一例を説明する図である。
【図７】図６に続く部分の一例を説明する図である。
【図８】図６に続く部分の他の一例を説明する図である。
【図９】ボリュームテーブル制御において、各装置のボリュームの指示値、設定値の関係について、具体例を説明する図である。
【図１０】図９に続く部分の具体例を説明する図である。
【図１１】図１０に続く部分の具体例を説明する図である。
【発明を実施するための形態】
【００１０】
＜実施形態＞
[概要]
図１は、実施形態に係るオーディオシステムの動作の概要を説明する図である。この例におけるオーディオシステムは、スピーカ装置１０およびオーディオ装置２０を有する。オーディオ装置２０は、楽曲などの楽音波形信号を示すオーディオデータを出力する携帯オーディオ端末３０と、スピーカ装置１０と無線通信を行うための通信モジュール４０とが接続されたものである。各装置の構成の詳細については後述する。なお、図１の記載においては、スピーカ装置１０−１、１０−２が存在するが、それぞれを区別しない場合には、単にスピーカ装置１０という。
【００１１】
スピーカ装置１０およびオーディオ装置２０は、それぞれが無線通信を行う構成を有する。オーディオ装置２０の通信範囲内に存在するスピーカ装置１０と無線通信により接続し、接続した装置との間でネットワークを構成する。そして、ネットワークを構成すると、オーディオ装置２０から送信されるオーディオデータＳｔが、ネットワークを構成するスピーカ装置１０において受信される。また、ネットワークを構成するスピーカ装置１０とオーディオ装置２０との間では、相手装置に対する通知、制御、指示などを示す各情報を含む制御信号Ｓｃの送受信が行われる。制御信号Ｓｃに含まれる情報の内容については、この例においては、指示値情報、設定値情報、接続状況情報であるが、詳細は後述する。
【００１２】
オーディオ装置２０は、携帯して移動可能な装置であり、各スピーカ装置１０と無線接続を行うが、接続対象は単数に限らず、複数となることもある。接続の態様としては、例えば、オーディオ装置２０は、自身の位置が移動することにより、図１（ａ）に示すように、スピーカ装置１０−１が通信範囲内に存在するものとなると、無線通信によりスピーカ装置１０−１と接続する。これにより、スピーカ装置１０−１は、受信したオーディオデータＳｔに応じて放音する。
さらにオーディオ装置２０は、自身の位置が移動することにより、図１（ｂ）に示すように、スピーカ装置１０−１、１０−２の双方が通信範囲内に存在するものとなると、無線通信により双方と接続する。これにより、スピーカ装置１０−１、１０−２の双方は、受信したオーディオデータＳｔに応じて放音する。さらにオーディオ装置２０が移動して、スピーカ装置１０−１が通信範囲内に存在しないものとなり、図１（ｃ）に示すような状況になると、スピーカ装置１０−１からの放音が停止する。
以下、このような状況において、各スピーカ装置１０の放音における音量レベルを決めるためのボリュームの設定値Ｌｓを制御するボリューム制御処理を実現するためのスピーカ装置１０およびオーディオ装置２０の各構成について説明する。
【００１３】
[スピーカ装置１０の構成]
図２は、スピーカ装置１０の構成を示すブロック図である。スピーカ装置１０は、通信部１１、操作部１２、放音部１３および制御部１４を有する。通信部１１は、無線通信部１１１および通信制御部１１２を有する。
【００１４】
無線通信部１１１は、通信制御部１１２の制御によって、オーディオ装置２０と無線通信を行う機能を有する。無線通信部１１１は、出力する電波の強度に応じた通信範囲内に存在するオーディオ装置２０を検索して無線通信を物理レベルで確立し、通信制御部１１２の制御によって、そのオーディオ装置２０に無線通信により接続する。このとき、他のスピーカ装置１０が通信範囲内に存在しても、スピーカ装置１０間では接続されず、オーディオ装置２０との間で接続される。
すなわち、このオーディオシステムにおいては、マスタとなるオーディオ装置２０とスレーブとなるスピーカ装置１０との間で無線通信による接続が行われ、スレーブの装置間においては無線通信による接続が行われない。なお、この実施形態においては、スレーブの装置間においては無線通信による接続が行われないものとしたが、無線通信により接続して、またはマスタの装置との接続を介して、スレーブの装置間において情報のやり取りが行えるようにしてもよい。
【００１５】
そして、上述したようにマスタの装置であるオーディオ装置２０からは、スレーブの装置であるスピーカ装置１０に対して、放送型通信によりストリーミング形式でオーディオデータＳｔの送信を行う。また、マスタの装置とスレーブの装置との間では制御信号Ｓｃを送受信する。この例においては、送信される制御信号Ｓｃについても放送型通信により行われるが、送受信される対象となる装置を識別する識別子を含ませることにより、実質的に各装置を特定して制御信号Ｓｃを送信することもできる。
例えば、制御信号Ｓｃを受信した装置は、制御信号Ｓｃに含まれる識別子が自装置のものでない場合には、その制御信号Ｓｃの受信は無効であるものとして扱うようにすれば、識別子に対応する装置のみで制御信号Ｓｃの受信を有効なものとすることができる。制御信号Ｓｃに含まれる識別子は、単数の装置でも複数の装置でもよく、ネットワークを構成する全てのスピーカ装置１０を対象としてもよい。
これらの識別子は、例えば、スピーカ装置１０の通信制御部１１２、オーディオ装置２０の通信制御部４２（図３参照）に設定され、通信制御部１１２、４２において、有効無効を判断すればよい。
【００１６】
無線通信部１１１は、エンコードされたオーディオデータＳｔをオーディオ装置２０から受信すると、デコードして制御部１４に出力し、制御信号Ｓｃをオーディオ装置２０から受信すると、デコードして制御信号Ｓｃに含まれる指示値情報、接続状況情報などを制御部１４に出力する。また、制御部１４から出力された設定値情報などを含む制御信号Ｓｃをエンコードしてオーディオ装置２０に送信する。
通信制御部１１２は、上述したように無線通信部１１１における通信の各動作、例えば、無線通信の確立、無線通信によるオーディオ装置２０との接続、接続後の送受信などにおいて行われるやり取りを制御する。
【００１７】
操作部１２は、利用者の指示を入力するための操作子（ボタン、ロータリエンコーダなど）を有し、操作子の操作に応じた操作信号を出力する。この例においては、ボリュームの調整、すなわちボリュームの設定値Ｌｓを増減させる指示をするための操作子を有する。操作部１２は、オーディオデータに係る音に付与する音場効果の設定指示、オーディオデータの入力が複数の手段によって行われる場合には、放音に係るオーディオデータを選択するための切り替え指示など、様々な指示を行う操作子を有するものとしてもよい。なお、操作子は、遠隔操作可能なリモコンなどに設けられていてもよい。
【００１８】
放音部１３は、入力される楽音波形信号を増幅する増幅回路と、増幅した楽音波形信号を放音するスピーカを有する。この例においては、スピーカ装置１０−１、１０−２のそれぞれにおける増幅回路の増幅率は異なり、同じ出力レベルの楽音波形信号が入力されても、楽音波形信号が放音されるときの音量レベルは異なるものとなっている。そのため、スピーカ装置１０−１、１０−２のそれぞれから、同程度の音量レベルの放音が行われるようにするためには、ボリュームの設定値Ｌｓの値はそれぞれ異なる値となる。
なお、この増幅率は同じであってもよい。また、スピーカは、単数でも複数でもよく、複数の場合には、スピーカアレイを構成することにより音に指向性を持たせて放音方向を制御可能なものとしてもよい。
【００１９】
制御部１４は、ＣＰＵ（Central Processing Unit）、ＲＯＭ（Read Only Memory）、ＲＡＭ（Random Access Memory）、ＤＳＰ（Digital Signal Processor）などを有する。ＣＰＵは、ＲＯＭに記憶されている制御プログラムをＲＡＭにロードして実行することにより、ボリューム制御処理機能などを実現し、スピーカ装置１０の各部を制御する。ボリューム制御機能については、後述する。以上が、スピーカ装置１０の構成についての説明である。
【００２０】
[オーディオ装置２０の構成]
図３は、オーディオ装置２０の構成を説明するブロック図である。オーディオ装置２０は、上述したように携帯オーディオ端末３０と通信モジュール４０とがインターフェイス３６、４３により接続されたものである。この例においては、通信モジュール４０は、携帯オーディオ端末３０との接続により、携帯オーディオ端末３０の電源部（不図示）から、インターフェイス３６、４３を介して電力の供給を受けている。したがって、通信モジュール４０を携帯オーディオ端末３０から取り外して接続を解除すると通信モジュール４０の各部の機能は停止する。以下、それぞれの構成を順に説明する。
【００２１】
携帯オーディオ端末３０は、制御部３１、記憶部３２、操作部３３、表示部３４、音声出力部３５およびインターフェイス３６を有し、それぞれがバスを介して接続されている。
制御部３１は、ＣＰＵ、ＲＯＭ、ＲＡＭを有している。ＣＰＵは、ＲＯＭから制御プログラムをＲＡＭにロードして実行することにより、携帯オーディオ端末３０の各部について、バスを介して制御する。制御部３１における制御内容については後述する。
記憶部３２は、例えばハードディスク、不揮発性メモリなどの記憶手段であって、楽曲、映画などの各コンテンツに対応した楽音波形信号を示すオーディオデータ、映像を示す映像データなどを記憶する。また、記憶部３２は、ボリューム値を指示する値である指示値Ｌｐを示す指示値情報を記憶する。この例においては、指示値Ｌｐの範囲は「０」から「１００」であるものとするが、これに限らず「０」から「２５５」など８ｂｉｔで表されるようなものであってもよい。後述する設定値Ｌｓについても同様である。なお、装置によって使用される範囲が異なる場合には、装置ごとの範囲を通信により特定して予め各数値の対応付けを行うようにすればよい。
【００２２】
操作部３３は、利用者が操作（例えば、回転操作、押下など）を行うための操作子を有する。利用者が操作子を操作すると、操作部３３は、その操作内容を表す操作信号が制御部３１へ出力する。この操作により、様々な指示が可能であり、例えば、携帯オーディオ端末３０を起動する指示、記憶部３２に記憶されたコンテンツの選択、再生する指示などである。また、利用者は、この操作子の操作により、ボリューム値を増減させる指示（ボリューム値を直接指示するものでもよい）を行う。
表示部３４は、メニュー画面、設定画面、コンテンツの映像などを表示する表示画面を有する液晶ディスプレイなどの表示デバイスであって、制御部３１の制御によって入力される映像データに応じた表示を行う。また、表示画面には、制御部３１の制御によって、記憶部３２に記憶されている指示値情報に応じたボリューム値を示す画像（棒グラフ、数値など）が表示される。
【００２３】
音声出力部３５は、ヘッドホンなどの放音手段を接続する接続端子を有し、制御部３１の制御によって入力されるオーディオデータに係る楽音波形信号を、接続される放音手段に供給する。このとき、音声出力部３５に入力される楽音波形信号は、制御部３１によって、記憶部３２に記憶された指示値Ｌｐに応じた増幅処理が施されている。
インターフェイス３６は、外部機器と接続し、様々な情報、データなどの入出力をするための接続端子である。この例においては、インターフェイス３６には通信モジュール４０が接続され、制御部３１の制御によって、接続された通信モジュール４０に対してオーディオデータ、指示値情報などを出力する。また、インターフェイス３６は、外部から入力された設定値情報などを制御部３１に出力する。
【００２４】
制御部３１は、操作部３３の利用者による操作に応じて、記憶部３２に記憶されたオーディオデータを読み出してインターフェイス３６に出力するとともに、そのオーディオデータに係る楽音波形信号に増幅処理を施して音声出力部３５に出力する。また、制御部３１は、操作部３３の利用者の操作により、ボリューム値を増減させる指示があると、記憶部３２に記憶された指示値情報を、指示に応じた値に更新する。そして、制御部３１は、更新した指示値情報をインターフェイス３６に出力する。
指示値情報の出力は、更新があるたびに行われてもよいし、定期的に行われてもよい。また、オーディオ装置２０とスピーカ装置１０とが無線通信により接続されたことを、インターフェイス３６を介して通信モジュールから通知されたときに出力するようにしてもよい。この例においては、指示値情報の出力は、定期的に行われ、かつ更新があったときにも行われるようになっている。
このとき、制御部３１は、スピーカ装置１０とオーディオ装置２０とが接続状態か否かを示す情報を通信モジュール４０から取得し、接続状態のときは音声出力部３５への楽音信号波形の出力を停止するようにしてもよいし、接続状態でないときはインターフェイス３６へのオーディオデータ、指示値情報の出力を停止するようにしてもよい。
【００２５】
また、制御部３１は、インターフェイス３６から設定値情報が入力された場合には、設定値情報に応じて記憶部３２に記憶されている指示値情報を更新する。この例においては、設定値情報が示す設定値Ｌｓを指示値Ｌｐとするように指示値情報を更新する。
【００２６】
通信モジュール４０は、無線通信部４１、通信制御部４２およびインターフェイス４３を有する。無線通信部４１は、通信制御部４２の制御によって、スピーカ装置１０と無線通信を行う機能を有する。インターフェイス４３は、外部機器と接続し、様々なデータの入出力をするための接続端子である。この例においては、インターフェイス４３には携帯オーディオ端末３０が接続され、携帯オーディオ端末３０のインターフェイス３６から出力されるオーディオデータ、指示値情報を無線通信部４１に出力する。また、後述のように無線通信部４１から出力される設定値情報を携帯オーディオ端末３０のインターフェイス３６に出力する。
【００２７】
無線通信部４１および通信制御部４２は、スピーカ装置１０の無線通信部１１１および通信制御部１１２の機能と概ね共通であるため、異なる点について説明する。無線通信部４１は、スピーカ装置１０から制御信号Ｓｃを受信すると、デコードして制御信号Ｓｃに含まれる設定値情報をインターフェイス４３に出力する。これにより、設定値情報は、インターフェイス３６を介して制御部３１に出力される。
【００２８】
無線通信部４１は、インターフェイス３６を介してインターフェイス４３から出力されるオーディオデータをエンコードしたオーディオデータＳｔを、ネットワークを構成するスピーカ装置１０に送信する。また、無線通信部４１は、インターフェイス４３から出力される指示値情報、通信制御部４２から出力される接続状況情報などを含む制御信号Ｓｃを、ネットワークを構成するスピーカ装置１０に送信する。
【００２９】
通信制御部４２は、上述したように無線通信部４１における通信の各動作、例えば、無線通信の確立、無線通信によるスピーカ装置１０との接続、接続後の送受信などにおいて行われるやり取りを制御する。
通信制御部４２は、無線通信により接続しているスピーカ装置１０の数（ネットワークを構成するスピーカ装置１０の数）を示す接続状況情報を記憶し、無線通信部４１において指示値情報を含む制御信号Ｓｃを送信するときに、あわせて接続状況情報を含むように制御する。また、通信制御部４２は、オーディオ装置２０と無線通信により接続されるスピーカ装置１０の対象が変化した場合、すなわちネットワークを構成するスピーカ装置１０が変わった場合には、接続されているスピーカ装置１０に対して、接続状況情報を含む制御信号Ｓｃを無線通信部４１から送信させる。なお、インターフェイス４３から指示値情報が定期的に出力されない場合でも、最後に出力された指示値情報を通信制御部４２においてバッファしておき、定期的に指示値情報を含む制御信号Ｓｃを無線通信部４１から送信させてもよい。
なお、接続状況情報については、無線通信により接続しているスピーカ装置１０の数ではなくてもよく、そのスピーカ装置１０を識別する識別子を示してもよい。この接続状況情報は、オーディオ装置２０に無線通信により接続されているスピーカ装置１０が、複数であるか否かを示す情報であれば、どのような内容であってもよい。以上が、オーディオ装置２０の構成についての説明である。
【００３０】
[ボリューム制御機能]
次に、図２に戻って、スピーカ装置１０の制御部１４において実現されるボリューム制御機能について説明する。ボリューム制御機能とは、オーディオ装置２０から受信した指示値情報に応じて自装置のボリュームの制御を行う機能である。なお、以下に説明するボリューム制御機能における各構成については、ハードウエアによって実現してもよい。
このボリューム制御機能の実現には、設定記憶部１４１、音声処理部１４２、テーブル記憶部１４３、指示変更部１４４、操作変更部１４５、およびテーブル決定部１４６の各構成を用いる。
【００３１】
設定記憶部１４１は、音声処理部１４２において設定されるべきボリューム値の設定値Ｌｓを示す設定値情報を記憶する。そして、設定記憶部１４１は、無線通信部１１１から出力される接続状況情報が示すスピーカ装置１０の数が複数でない場合に、記憶されている設定値情報を無線通信部１１１に出力する。また、設定記憶部１４１は、この接続状況情報が示すスピーカ装置１０の数が複数でない場合であって、さらに操作変更部１４５により設定値情報の内容が更新された場合にも、設定値情報を無線通信部１１１に出力する。
【００３２】
音声処理部１４２は、無線通信部１１１から出力されるオーディオデータＳｔが入力され、オーディオデータＳｔに係る楽音波形信号に対して、設定記憶部１４１に記憶された設定値情報が示すボリュームの設定値Ｌｓに応じた増幅率で増幅処理を施して、出力レベルが増幅処理によって調整された楽音波形信号を放音部１３に出力する。このとき、音場効果を付与するなどの様々な音響処理を施してもよいし、ダイナミックレンジ圧縮処理などにより出力レベルをさらに調整する処理が行われてもよい。これらの処理は、スピーカ装置１０−１、１０−２で異なるものであってもよい。
なお、音声処理部１４２に入力されるオーディオデータは、無線通信部１１１からのオーディオデータＳｔでなくてもよく、図示しない入力端子を介して、外部装置から入力されたオーディオデータであってもよく、また、装置内部にオーディオデータを生成するチューナ、音源などがあれば、それから入力されたオーディオデータであってもよい。すなわち、オーディオ装置２０と無線通信により接続していなくても放音する構成であってもよい。
【００３３】
テーブル記憶部１４３は、オーディオ装置２０から受信した指示値情報が示す指示値Ｌｐと、設定記憶部１４１が記憶する設定値情報が示す設定値Ｌｓとの対応関係を定めたテーブル（以下、変換テーブルという）が記憶されている。この変換テーブルは、後述するように、オーディオ装置２０からの指示値Ｌｐに基づいて、設定値Ｌｓを更新するときに用いられるテーブルである。変換テーブルは、例えば図５に示す対応関係を示すものであるが、詳細は後述する。
【００３４】
指示変更部１４４は、無線通信部１１１から出力された指示値情報および接続状況情報を取得する。指示変更部１４４は、接続状況情報が示すスピーカ装置１０の数が複数でない場合には、設定記憶部１４１が記憶する設定値情報が示す設定値Ｌｓが、取得した指示値情報が示す指示値Ｌｐになるように、その設定値情報を更新する。
一方、接続状況情報が示すスピーカ装置１０の数が複数である場合には、後述するようにテーブル決定処理により決定された対応関係になるように変換テーブルが更新されるから、指示変更部１４４は、テーブル記憶部１４３に記憶されている更新後の変換テーブルを参照し、取得した指示値情報が示す指示値Ｌｐに対応する設定値Ｌｓを特定する。そして、指示変更部１４４は、設定記憶部１４１が記憶する設定値情報が示す設定値Ｌｓが、特定した設定値Ｌｓになるように、その設定値情報を更新する。
【００３５】
操作変更部１４５は、操作部１２から設定値Ｌｓを増減させる指示を示す操作信号が出力されると、設定記憶部１４１に記憶されている設定値情報が示す設定値Ｌｓが、その指示に応じた設定値Ｌｓになるように、その設定値情報を更新する。また、操作変更部１４５は、その更新を行ったことを示す通知をテーブル決定部１４６に対して行う。
【００３６】
テーブル決定部１４６は、予め決められた条件を満たすと、テーブル決定処理を行って決定した対応関係のテーブルになるように、テーブル記憶部１４３に記憶されている変換テーブルを更新する。予め決められた条件を満たすとは、操作変更部１４５から更新を行ったことを示す通知を受け取った場合、無線通信部１１１から出力される接続状況情報が示すスピーカ装置１０の数が複数でない状態から複数である状態に変化した場合である。
テーブル決定処理は、無線通信部１１１から出力された最新の指示値情報が示す指示値Ｌｐと、設定記憶部１４１に記憶されている設定値情報が示す設定値Ｌｓとを比較し、比較結果に応じて変換テーブルの対応関係を決定する処理である。
【００３７】
[テーブル決定処理]
図４は、テーブル決定処理を説明するフローチャートである。まず、テーブル決定部１４６は、無線通信部１１１から出力された最新の指示値情報が示す指示値Ｌｐと、設定記憶部１４１に記憶されている設定値情報が示す設定値Ｌｓとを取得する（ステップＳ１１０）。最新の指示値情報は、無線通信部１１１から出力された指示値情報について、最新のものをテーブル決定部１４６においてバッファしておくことで、それを用いてもよいし、テーブル決定処理を開始する契機となった接続状況情報とともに制御信号Ｓｃに含まれていた指示値情報であってもよい。
【００３８】
テーブル決定部１４６は、取得した指示値Ｌｐと設定値Ｌｓとを比較し（ステップＳ１２０）、値が異なっている場合（ステップＳ１２０；Ｎｏ）には、さらに大小関係を比較する（ステップＳ１３０）。
指示値Ｌｐが設定値Ｌｓより大きい場合（ステップＳ１３０；Ｙｅｓ）には、テーブル決定部１４６は、リミッタ付テーブルとなる対応関係を決定し（ステップＳ１４０）し、テーブル決定処理を終了する。一方、指示値Ｌｐが設定値Ｌｓより小さい場合（ステップＳ１３０；Ｎｏ）には、テーブル決定部１４６は、リミッタ無テーブルとなる対応関係を決定し（ステップＳ１５０）し、テーブル決定処理を終了する。
また、指示値Ｌｐと設定値Ｌｓとが同じ場合（ステップＳ１２０；Ｙｅｓ）には、テーブル決定部１４６は、基本テーブルとなる対応関係を決定し（ステップＳ１６０）し、テーブル決定処理を終了する。
次に、リミッタ付テーブル、リミッタ無テーブルおよび基本テーブルについて図５を用いて説明する。
【００３９】
図５は、テーブル決定処理により決定されるテーブルの種類別の対応関係についての一例を説明する図である。
リミッタ付テーブルとは、図５（ａ）に示すように、指示値Ｌｐが最大値「１００」であっても、対応する設定値Ｌｓが最大値にならない対応関係Ｒｃ１を示すものである。この対応関係Ｒｃ１は、比較対象となった指示値Ｌｐが比較対象となった設定値Ｌｓに対応付けられる関係（図中の点Ｐ１に相当）、を有し、その関係から指示値Ｌｐを減少させると、その減少割合で設定値Ｌｓも減少する関係（傾きが「１未満」となる場合の比例関係）、および指示値Ｌｐを増加させると、増加した数値で設定値Ｌｓも増加する関係（傾きが「１」の比例関係）を有する。
【００４０】
そのため、指示値Ｌｐが「０」であれば、設定値Ｌｓも「０」になるが、比較対象となった指示値Ｌｐと設定値Ｌｓとの関係は、上述したように、Ｌｐ＞Ｌｓであるから、指示値Ｌｐが「１００」であっても、設定値Ｌｓは「１００」には到達しない。このように、スピーカ装置１０がオーディオ装置２０に接続されたときに、設定値Ｌｓが指示値Ｌｐより小さい値である場合には、もともと、小さいボリュームの設定値で使用されるようなスピーカ装置１０である場合が多く、指示値Ｌｐを増加させても設定値Ｌｓが大きくなりすぎないようにすることができる。また、指示値Ｌｐを減少させて「０」にしたときには、設定値Ｌｓも「０」となり、消音させることができる。
【００４１】
図５（ａ）に示した具体例は、比較対象となった指示値Ｌｐは「８０」であり、設定値Ｌｓは「５０」であった場合（点Ｐ１：Ｌｐ＞Ｌｓ）に決定される対応関係Ｒｃ１を示している。このような場合には、指示値Ｌｐが「０」から「８０」までは、設定値Ｌｓが「０」から「５０」まで変化する対応関係（傾きが「０．６２５（＝５０／８０）」の比例関係）である。一方、指示値Ｌｐが「８０」から「１００」までは、設定値Ｌｓ「５０」から「７０」まで変化する対応関係（傾きが「１」の比例関係）である。
【００４２】
リミッタ無テーブルとは、図５（ｂ）に示すように、指示値Ｌｐが最大値「１００」であるときに、対応する設定値Ｌｓが最大値「１００」となる対応関係Ｒｃ２を示すものである。この対応関係Ｒｃ２は、比較対象となった指示値Ｌｐが比較対象となった設定値Ｌｓに対応付けられる関係（図中の点Ｐ２に相当）を有し、その関係から指示値Ｌｐを減少させると、その減少割合で設定値Ｌｓも減少する関係（傾きが「１より大きくなる」の場合の比例関係）、および指示値Ｌｐを増加させると、その増加割合で設定値Ｌｓも増加する関係（傾きが「１未満」の場合の比例関係）を有する。
【００４３】
そのため、指示値Ｌｐが「０」であれば、設定値Ｌｓも「０」になり、指示値Ｌｐが「１００」であれば、設定値Ｌｓは「１００」になる。このように、スピーカ装置１０がオーディオ装置２０に接続されたときに、設定値Ｌｓが指示値Ｌｐより大きい値である場合には、もともと、大きいボリュームの設定値で使用されるようなスピーカ装置１０である場合が多く、指示値Ｌｐを増加させて最大値にしたときには、設定値Ｌｓも最大値とし、また、指示値Ｌｐを減少させて「０」にしたときには、設定値Ｌｓも「０」となり、消音させることができる。
【００４４】
図５（ｂ）に示した具体例は、比較対象となった指示値Ｌｐは「４０」であり、設定値Ｌｓは「７０」であった場合（点Ｐ２：Ｌｐ＜Ｌｓ）に決定される対応関係Ｒｃ２を示している。このような場合には、指示値Ｌｐが「０」から「４０」までは、設定値Ｌｓが「０」から「７０」まで変化する対応関係（傾きが「１．７５（＝７０／４０）」の比例関係）である。一方、指示値Ｌｐが「４０」から「１００」までは、設定値Ｌｓ「７０」から「１００」まで変化する対応関係（傾きが「０．５（＝３０／６０）」の比例関係）である。
【００４５】
基本テーブルとは、図５（ｃ）に示すように、指示値Ｌｐ＝設定値Ｌｓとなる対応関係Ｒｃ３を示すものである。図５（ｃ）に示した具体例は、比較対象となった指示値Ｌｐは「４０」であり、設定値Ｌｓも「４０」であった場合（点Ｐ３：Ｌｐ＝Ｌｓ）に決定される対応関係Ｒｃ３を示している。上述のリミッタ有テーブルおよびリミッタ無テーブルにおける対応関係Ｒｃ１、Ｒｃ２は、点Ｐ１、Ｐ２がどの位置にあるかにより、その形状が変化するものであるが、基本テーブルについては、点Ｐ３がどの位置にあっても対応関係Ｒｃ３は同じものとなる。
なお、これらの各テーブルについては、一例であって、これらとは異なるアルゴリズム、（例えば、比例関係でなく非線形の関係、指示値Ｌｐと設定値Ｌｓの大小関係にかかわらずリミッタ無テーブルとなる対応関係で決定、など）に基づいて対応関係が決定されるようにしてもよい。ただし、後述するように、スピーカ装置１０がオーディオ装置２０に接続されたときに設定値Ｌｓが突然変化しないように、比較対象となった指示値Ｌｐが比較対象となった設定値Ｌｓに対応付けられる関係で対応関係が決定されることが望ましい。これらのアルゴリズムはスピーカ装置１０−１、１０−２のそれぞれにおいて異なるものであってもよい。以上が、テーブル決定処理についての説明である。
【００４６】
図２に戻って説明を続ける。テーブル決定部１４６は、このようなテーブル決定処理により決定した対応関係のテーブルになるように、テーブル記憶部１４３に記憶されている変換テーブルを更新する。以上が、ボリューム制御機能についての説明である。
【００４７】
[動作]
次に、オーディオシステムが上述したように図１（ａ）、（ｂ）、（ｃ）と変化する状況におけるスピーカ装置１０およびオーディオ装置２０の動作を説明する。この説明においては、初期状態が図１（ａ）に示すようにスピーカ装置１０−１とオーディオ装置２０とが無線通信により接続される前の状態であるものとする。
【００４８】
図６、図７、図８は、オーディオシステムの動作の一例を説明する図である。まず、図６を用いて説明する。
スピーカ装置１０−１が通信範囲内にオーディオ装置２０が存在することを検出すると、スピーカ装置１０−１とオーディオ装置２０とは、無線通信により接続する処理を行って接続する（ステップＳ２１０）。なお、オーディオ装置２０が通信範囲内にスピーカ装置１０−１が存在することを検出すると、無線通信により接続する処理が行われるようにしてもよい。
オーディオ装置２０は、無線通信により接続されるスピーカ装置１０の対象が変わったことにより、スピーカ装置１０−１に対して接続状況情報を含む制御信号Ｓｃを送信して、オーディオ装置２０に接続されているスピーカ装置１０の数を通知する（ステップＳ２２０）。
【００４９】
スピーカ装置１０−１は、接続状況情報が示すスピーカ装置１０の数が複数でない（１台）ことを認識すると、設定記憶部１４１に記憶されている設定値情報を含む制御信号Ｓｃをオーディオ装置２０に送信し、設定値Ｌｓを通知する（ステップＳ２３０）。この設定値情報は、オーディオ装置２０と接続する前にスピーカ装置１０−１に設定されていた設定値Ｌｓを示している。
オーディオ装置２０は、記憶部３２に記憶されている指示値情報が示す指示値Ｌｐを、通知された設定値Ｌｓに変更（ステップＳ２４０）して、指示値情報を更新する。
これにより、オーディオ装置２０の記憶部３２に記憶されている指示値情報が示す指示値Ｌｐと、スピーカ装置１０−１の設定記憶部１４１に記憶されている設定値情報が示す設定値Ｌｓとが同じ値となり、オーディオ装置２０とスピーカ装置１０−１との間でボリュームフィードバック（ＦＢ）制御が開始される（ステップＳ２５０）。
【００５０】
ボリュームＦＢ制御とは、以下のような制御をいう。オーディオ装置２０の操作部３３を操作することにより、記憶部３２に記憶されている指示値情報が示す指示値Ｌｐが変更されると、スピーカ装置１０−１の設定記憶部１４１に記憶されている設定値情報が示す設定値Ｌｓが指示変更部１４４によって変更され、この指示値Ｌｐとこの設定値Ｌｓとが同じ値となる。なお、このときには、テーブル記憶部１４３に記憶されている変換テーブルが基本テーブルの対応関係となるようにテーブル決定部１４６に決定させ、指示変更部１４４は、この変換テーブルにしたがって設定記憶部１４１に記憶されている設定値Ｌｓを変更してもよい。このようにしても、処理結果は同様である。
一方、スピーカ装置１０−１の操作部１２を操作することにより、設定記憶部１４１に記憶されている設定値情報が示す設定値Ｌｓが変更されると、無線通信部１１１によってこの設定値情報を含む制御信号Ｓｃが送信され、オーディオ装置２０の記憶部３２に記憶されている指示値情報が示す指示値Ｌｐが変更される。そのため、この指示値Ｌｐとこの設定値Ｌｓとが同じ値となる。
このように、いずれの装置における操作部においてボリューム値を変更する指示をしても、指示値Ｌｐと設定値Ｌｓとが同期して一致するように制御されることをボリュームＦＢ制御という。
【００５１】
次に、図１（ａ）に示す状態から図１（ｂ）に示す状態に変化し、スピーカ装置１０−２が通信範囲内にオーディオ装置２０が存在することを検出すると、スピーカ装置１０−２とオーディオ装置２０とは、無線通信により接続する処理を行って接続する（ステップＳ２６０）。オーディオ装置２０は、無線通信により接続されるスピーカ装置１０の対象が変わったことにより、スピーカ装置１０−１、１０−２に対して接続状況情報を含む制御信号Ｓｃを送信して、オーディオ装置２０に接続されているスピーカ装置１０の数を通知する（ステップＳ２７０）。また、オーディオ装置２０は、通知する数が複数である（２台）ことから、記憶部３２に記憶されている指示値情報を含む制御信号Ｓｃを送信することにより、に指示値Ｌｐを通知する（ステップＳ２８０）。
なお、オーディオ装置２０は、接続状況情報を含む制御信号Ｓｃを送信するときに指示値情報も含むようにして、指示値Ｌｐの通知を接続数の通知とともに行ってもよい。
【００５２】
スピーカ装置１０−１、１０−２は、この制御信号Ｓｃを受信して、接続状況情報が示すスピーカ装置１０の数が複数である（２台）ことを認識すると、テーブル決定部１４６におけるテーブル決定処理を開始し、テーブル記憶部１４３に記憶される変換テーブルの対応関係を決定する（ステップＳ２９０−１，Ｓ２９０−２）。
このとき、ステップＳ２８０において通知された指示値Ｌｐは「８０」であるものとする。したがって、指示値Ｌｐが通知されたときのスピーカ装置１０−１における設定値Ｌｓは、上記ボリュームＦＢ制御により同期しているから同じく「８０」である。一方、指示値Ｌｐが通知されたときのスピーカ装置１０−２における設定値Ｌｓは、「５０」であったものとする。この関係においては、スピーカ装置１０−１がテーブル決定処理により決定した対応関係は、図５（ｃ）に示すものとなる一方、スピーカ装置１０−２がテーブル決定処理により決定した対応関係は、図５（ａ）に示すものとなる。このとき、スピーカ装置１０−２における設定値Ｌｓは、無線通信により接続される前は「５０」であるが、接続された後における指示値Ｌｐの値「８０」に変更されるのではなく、「５０」を維持するから、最後に使用されていた音量から突然変化することがなく、また、オーディオデータＳｔ以外の音を放音していた場合に、その音量が突然変化することもない。
そして、オーディオ装置２０とスピーカ装置１０−１、１０−２との間でボリュームテーブル制御が開始される（ステップＳ３００）。
【００５３】
ボリュームテーブル制御とは、以下のような制御をいう。オーディオ装置２０の操作部３３を操作することにより、記憶部３２に記憶されている指示値情報が示す指示値Ｌｐが変更されると、スピーカ装置１０−１、１０−２の指示変更部１４４は、テーブル記憶部１４３に記憶されている変換テーブルを参照して指示値Ｌｐに対応する設定値Ｌｓを特定し、設定記憶部１４１に記憶されている設定値情報が示す設定値Ｌｓを、特定した設定値Ｌｓに変更する。一方、スピーカ装置１０−１、１０−２の操作部１２を操作することにより、設定記憶部１４１に記憶されている設定値情報が示す設定値Ｌｓが変更されると、テーブル決定部１４６におけるテーブル決定処理が行われ、変換テーブルが更新される。
このように、オーディオ装置２０の操作部３３を操作してボリューム値を変更する指示をすると、変換テーブルにしたがってスピーカ装置１０−１、１０−２において設定値Ｌｓが変更されるが、スピーカ装置１０−１、１０−２の操作部１２を操作してボリューム値を変更する指示をすると、その指示にしたがって設定値Ｌｓが変更されつつ変換テーブルが更新されるように制御されることをボリュームテーブル制御という。上述の例のように変換テーブルの対応関係が決定された場合におけるボリュームテーブル制御の具体例について、図９、図１０、図１１を用いて説明する。
【００５４】
図９、図１０、図１１は、ボリュームテーブル制御において、各装置のボリュームの指示値Ｌｐ、設定値Ｌｓの関係について、具体例を説明する図である。各図においては、スピーカ装置１０−１、１０−２の設定値Ｌｓ、オーディオ装置２０の指示値Ｌｐについて、それぞれ示したものであり、変換テーブルにおいて上限値となる設定値Ｌｓが存在する場合には、それ以上の部分については、破線で示している。例えば、図９（ａ）においては、スピーカ装置１０−２の設定値Ｌｓの上限値は「７０」である。また、図９（ａ）においては、オーディオ装置２０における指示値Ｌｐは「８０」、スピーカ装置１０−１、１０−２における設定値Ｌｓは、それぞれ「８０」、「５０」であることを示している。
【００５５】
まず、図９（ａ）に示す状態からオーディオ装置２０の操作部３３を操作して指示値Ｌｐを「４０」に変化させると、スピーカ装置１０−１は、図５（ｃ）に示す対応関係Ｒｃ３の変換テーブルを参照して、指示値Ｌｐ「４０」に対応した「４０」に設定値Ｌｓを変化させる。一方、スピーカ装置１０−２は、図５（ａ）に示す対応関係Ｒｃ１の変換テーブルを参照して、指示値Ｌｐ「４０」に対応する「２５」に設定値Ｌｓを変化させる（図９（ｂ）参照）。なお、指示値Ｌｐを「１００」に変化させた場合には、スピーカ装置１０−２における設定値Ｌｓは、「７０」まで増加するが、それ以上には変化しない。
【００５６】
続いて、スピーカ装置１０−２の操作部１２を操作して設定値Ｌｓを「３５」に変化させると、スピーカ装置１０−２は、テーブル決定処理により変換テーブルの対応関係を変更する。このとき、指示値Ｌｐ「４０」と設定値Ｌｓ「３５」とを比較した結果に応じて変更後の対応関係を決定する。指示値Ｌｐの上限まで「＋６０」であるから、このときの設定値Ｌｓの上限は「９５（＝３５＋６０）」となる（図９（ｃ）参照）。
その後、設定値Ｌｓをさらに増加させ、「４０」とした状態が図１０（ａ）に示した状態であり、このときには、変換テーブルの対応関係は、図５（ｃ）に示すものとなっている。そして、この例においては、設定値Ｌｓを「７０」まで、さらに増加させたものとする（図１０（ｂ））。この状態においては、スピーカ装置１０−２は、指示値Ｌｐ「４０」と設定値Ｌｓ「７０」とを比較した結果に応じて変更後の対応関係を決定する。その結果、スピーカ装置１０−２における変換テーブルは、図５（ｂ）に示すような対応関係Ｒｃ２となる。
【００５７】
続いて、図１０（ｂ）に示す状態からオーディオ装置２０の操作部３３を操作して指示値Ｌｐを「６０」に変化させると、スピーカ装置１０−１は、図５（ｃ）に示す対応関係Ｒｃ３の変換テーブルを参照して、指示値Ｌｐ「６０」に対応した「６０」に設定値Ｌｓを変化させる。一方、スピーカ装置１０−２は、図５（ｂ）に示す対応関係Ｒｃ２の変換テーブルを参照して、指示値Ｌｐ「６０」に対応する「８０」に設定値Ｌｓを変化させる（図１０（ｃ）参照）。
【００５８】
続いて、スピーカ装置１０−１の操作部１２を操作して設定値Ｌｓを「６０」から「５０」に変化させると、スピーカ装置１０−１は、テーブル決定処理により変換テーブルの対応関係を変更する。このとき、指示値Ｌｐ「６０」と設定値Ｌｓ「５０」とを比較した結果に応じて変更後の対応関係（以下、対応関係Ｒｃ４という）を決定する。指示値Ｌｐの上限まで「＋４０」であるから、このときの設定値Ｌｓの上限は「９０（＝５０＋４０）」となる（図１１（ａ）参照）。その後、オーディオ装置２０の操作部３３を操作して指示値Ｌｐを「３０」に変化させた場合、「８０」に変化させた場合を、それぞれ図１１（ｂ）、図１１（ｃ）に示した。以上が、ボリュームテーブル制御の具体例についての説明である。
【００５９】
スピーカ装置１０およびオーディオ装置２０の動作に戻って説明する。図６におけるボリュームテーブル制御（Ｓ３００）が行われているとき（図１（ｂ）の状態）に、図１（ｃ）に示す状態になる場合について図７を用いて説明する。ここでは、オーディオ装置２０とスピーカ装置１０−１との無線通信による接続が切断される（ステップＳ３１０）。
この切断により、オーディオ装置２０は、無線通信により接続されるスピーカ装置１０の対象が変わったことを認識し、スピーカ装置１０−２に対して接続状況情報を含む制御信号Ｓｃを送信することにより、オーディオ装置２０に接続されているスピーカ装置１０の数を通知する（ステップＳ３２０）。
【００６０】
スピーカ装置１０−２は、接続状況情報が示すスピーカ装置１０の数が複数でない（１台）ことを認識すると、設定記憶部１４１に記憶されている設定値情報を含む制御信号Ｓｃをオーディオ装置２０に送信し、設定値Ｌｓを通知する（ステップＳ３３０）。この設定値情報は、ボリュームテーブル制御により最後にスピーカ装置１０−２に設定されていた設定値Ｌｓを示している。
オーディオ装置２０は、記憶部３２に記憶されている指示値情報が示す指示値Ｌｐを、通知された設定値Ｌｓに変更（ステップＳ３４０）して、指示値情報を更新する。そして、オーディオ装置２０とスピーカ装置１０−２との間で上述したボリュームフィードバック（ＦＢ）制御が開始される（ステップＳ３５０）。
【００６１】
以下の説明においては、図６におけるボリュームテーブル制御（Ｓ３００）が行われているとき（図１（ｂ）の状態）に、さらにもう１台のスピーカ装置１０−３と無線通信により接続した場合について図８を用いて説明する。
スピーカ装置１０−３が通信範囲内にオーディオ装置２０が存在することを検出すると、スピーカ装置１０−３とオーディオ装置２０とは、無線通信により接続する処理を行って接続する（ステップＳ４１０）。オーディオ装置２０は、無線通信により接続されるスピーカ装置１０の対象が変わったことにより、スピーカ装置１０−１、１０−２、１０−３に対して接続状況情報を含む制御信号Ｓｃを送信して、オーディオ装置２０に接続されているスピーカ装置１０の数を通知する（ステップＳ４２０）。また、オーディオ装置２０は、通知する数が複数である（３台）ことから、記憶部３２に記憶されている指示値情報を含む制御信号Ｓｃを送信することにより、指示値Ｌｐを通知する（ステップＳ４３０）。
【００６２】
スピーカ装置１０−３は、この制御信号Ｓｃを受信して、接続状況情報が示すスピーカ装置１０の数が複数である（３台）ことを認識すると、テーブル決定部１４６におけるテーブル決定処理を開始し、テーブル記憶部１４３に記憶される変換テーブルの対応関係を決定する（ステップＳ４４０）。一方、スピーカ装置１０−１、１０−２は、この制御信号Ｓｃを受信して、接続状況情報が示すスピーカ装置１０の数が複数である（３台）ことを認識しても、複数である状態に変化はないため、これを契機としてはテーブル決定処理を行わない。
そして、オーディオ装置２０とスピーカ装置１０−１、１０−２、１０−３との間で上述したボリュームテーブル制御が行われる（ステップＳ４５０）。以上が、スピーカ装置１０およびオーディオ装置２０の動作についての説明である。
【００６３】
このように、本発明の実施形態に係るオーディオシステムにおいて、スピーカ装置１０は、オーディオ装置２０と無線通信により接続したときに、すでにオーディオ装置２０が別のスピーカ装置１０と接続しているときには、そのときのオーディオ装置２０におけるボリュームの指示値Ｌｐと、スピーカ装置１０における設定値Ｌｓとの比較結果に応じて、指示値Ｌｐと設定値Ｌｓとの対応関係を決定し、その対応関係に基づいてボリューム値を制御する。この対応関係においては、比較対象となった指示値Ｌｐと設定値Ｌｓとが対応付けられる関係を持つ。
したがって、スピーカ装置１０に設定されたボリューム値を、オーディオ装置２０によって遠隔操作で制御するときに、その制御対象となるスピーカ装置１０が増加したとしても、増加したスピーカ装置１０に設定されているパラメータがオーディオ装置２０の指示値Ｌｐにより突然変動しないようにしつつ、制御対象のスピーカ装置１０全体のボリュームを制御することができる。
【００６４】
＜変形例＞
以上、本発明の実施形態について説明したが、本発明は以下のように、さまざまな態様で実施可能である。
[変形例１]
上述した実施形態においては、オーディオ装置２０は、オーディオデータＳｔを送信する構成を有していたが、制御信号Ｓｃの送受信を行う構成があれば、オーディオデータＳｔの送信がされない構成であってもよい。その場合には、スピーカ装置１０は、自装置内、または外部の他の装置からオーディオデータを取得するようにすればよい。
すなわち、オーディオ装置２０は、オーディオデータＳｔを送信せずに、各スピーカ装置１０にボリュームの指示値Ｌｐを通知するリモコン装置などの指示装置としての機能を有するものであればよい。
【００６５】
[変形例２]
上述した実施形態におけるスピーカ装置１０−１、１０−２は、放音部１３を有していたが、放音部１３を有しない構成としてもよい。また、設定値Ｌｓに応じて増幅処理を施していたが増幅処理に限らず、イコライジング処理、音場効果付与処理など様々な音響処理に適用することができる。例えば、音場効果付与処理であれば、設定値Ｌｓに応じて付与する程度を変化させればよい。
このように、スピーカ装置１０−１、１０−２は、入力されたオーディオデータに音響処理を施す音響処理装置の一態様である。すなわち、本発明の音響処理装置は、例えば、ＡＶアンプ、テレビなど、様々な機器に適用することができる。
【００６６】
[変形例３]
上述した実施形態においては、オーディオ装置２０に接続されているスピーカ装置１０が１台であるときには、ボリュームＦＢ制御を行っていたが、異なる制御が行われていてもよい。例えば、オーディオ装置２０における操作に応じて設定値Ｌｓが変更されるが、スピーカ装置１０における操作は無効としてもよい。
【００６７】
[変形例４]
上述した実施形態における制御プログラムは、磁気記録媒体（磁気テープ、磁気ディスクなど）、光記録媒体（光ディスクなど）、光磁気記録媒体、半導体メモリなどのコンピュータ読取り可能な記録媒体に記憶した状態で提供し得る。この場合には、記録媒体を読取る読取手段をスピーカ装置１０に設ければよい。また、ネットワーク経由でダウンロードさせることも可能である。
【符号の説明】
【００６８】
１０，１０−１，１０−２，１０−３…スピーカ装置、１１…通信部、１１１…無線通信部、１１２…通信制御部、１２…操作部、１３…放音部、１４…制御部、１４１…設定記憶部、１４２…音声処理部、１４３…テーブル記憶部、１４４…指示変更部、１４５…操作変更部、１４６…テーブル決定部、２０…オーディオ装置、３０…携帯オーディオ端末、４０…通信モジュール、３１…制御部、３２…記憶部、３３…操作部、３４…表示部、３５…音声出力部、３６…インターフェイス、４１…無線通信部、４２…通信制御部、４３…インターフェイス
【図１】
0005610025.tif 000002
【図２】
0005610025.tif 000003
【図３】
0005610025.tif 000004
【図４】
0005610025.tif 000005
【図５】
0005610025.tif 000006
【図６】
0005610025.tif 000007
【図７】
0005610025.tif 000008
【図８】
0005610025.tif 000009
【図９】
0005610025.tif 000010
【図１０】
0005610025.tif 000011
【図１１】
0005610025.tif 000012